(57)【要約】      （修正有）【課題】遊技盤の盤面に設けられた風車のメンテナンス性の向上を図ることができる弾球遊技機を提供する。【解決手段】弾球遊技機は、遊技盤２の盤面２ａの遊技領域Ｓに配置された風車９を含む。風車９は、盤面２ａに立設されている軸３１に回転自在に支持される外郭筒状の軸受部３２と、軸受部３２と一体回転可能に設けられ、軸受部３２の周囲において放射状に延びる複数枚の羽根３３と、軸受部３２と一体回転可能に設けられ、風車９の前面を構成する前面板３４とを含む。前面板３４には、前面板３４の外周端から、風車９の径方向内方に向けて切り込んだスリットが形成されている。測定用辺４５を有する角度ゲージ４１をスリットに挿通させ、この状態で、測定用辺４５を軸受部３２の外周面に沿わせることにより、風車９の傾斜角度を測定する。【選択図】図６
2017000670.tif 000002
【特許請求の範囲】
【請求項１】
遊技盤の盤面の遊技領域に配置され、当該遊技領域に発射された遊技球の流下状態に影響を与える風車を備えた弾球遊技機であって、
前記風車は、
前記盤面に立設されている軸に回転自在に支持される外郭筒状の軸受部と、
前記軸受部と一体回転可能に設けられ、前記軸受部の周囲において放射状に延びる複数枚の羽根と、
前記軸受部と一体回転可能に設けられ、前記風車の前面を構成する前面板とを含み、
前記前面板には、当該前面板の外周端から、前記風車の径方向内方に向けて切り込んだスリットが形成されている、弾球遊技機。
【請求項２】
前記スリットは、前記風車の周方向に関し、互いに隣接する羽根の中間位置に配置されている、請求項１に記載の弾球遊技機。
【請求項３】
前記スリットは複数設けられており、前記複数の前記スリットは、放射状に延びている、請求項１または２に記載の弾球遊技機。
【請求項４】
前記複数の前記スリットは、前記風車の周方向に関し等間隔に配置されている、請求項３に記載の弾球遊技機。
【請求項５】
測定部を有する測定用治具を前記スリットに挿通させ、この状態で前記測定部を前記軸受部の外周面に沿わせることにより、前記風車の傾斜角度を測定可能にした、請求項１〜４のいずれか一項に記載の弾球遊技機。
【発明の詳細な説明】
【技術分野】
【０００１】
この発明は、風車を備える弾球遊技機に関する。
【背景技術】
【０００２】
下記特許文献１には、遊技盤の盤面の遊技領域に取り付けられた風車が記載されている。風車は、複数枚の羽根を有すると共に、遊技盤に回転自在に取り付けられている。遊技領域に発射された遊技球が風車の羽根に当ることにより、風車が回転すると共に、その当った遊技球の流下方向を変化させる。
このような風車において、風車の傾斜角度を調整することがある。風車の傾斜角度の調整時には、風車の傾斜角度を測定する必要がある。遊技部品の角度測定治具として、遊技釘の傾斜角度を測定する釘角度測定用治具（いわゆる釘角度ゲージ）が知られているが、風車が釘角度測定用治具と干渉するために、当該釘角度測定用治具を用いて風車の傾斜角度を測定することはできない。
【０００３】
そのため、従来から、下記特許文献２または下記特許文献３に示すように、風車の傾斜角度を測定するための専用治具（いわゆる風車角度ゲージ）が提案されている。
【先行技術文献】
【特許文献】
【０００４】
【特許文献１】特開２０１３−０５６１６８号公報
【特許文献２】特開２００４−２８３５０２号公報
【特許文献３】特開２００９−２０７７２０号公報
【発明の概要】
【発明が解決しようとする課題】
【０００５】
しかしながら、特許文献２または３に開示されている専用治具は、市場に流通している数が少なく、また高価である。そのため、このような専用治具を用いることなく他の治具を用いながら、風車の角度調整を行うことが望まれている。他の治具を用いて風車の角度調整が実現できれば、風車のメンテナンス性が向上する。
この発明は、このような背景の下でなされたものであり、遊技盤の盤面に設けられた風車のメンテナンス性の向上を図ることができる弾球遊技機を提供することを目的とする。
【課題を解決するための手段】
【０００６】
前記の目的を達成するための請求項１に記載の発明は、遊技盤の盤面の遊技領域に配置され、当該遊技領域に発射された遊技球の流下状態に影響を与える風車を備えた弾球遊技機であって、前記風車は、前記盤面に立設されている軸に回転自在に支持される外郭筒状の軸受部と、前記軸受部と一体回転可能に設けられ、前記軸受部の周囲において放射状に延びる複数枚の羽根と、前記軸受部と一体回転可能に設けられ、前記風車の前面を構成する前面板とを含み、前記前面板には、当該前面板の外周端から、前記風車の径方向内方に向けて切り込んだスリットが形成されている、弾球遊技機を提供する。
【０００７】
請求項２に記載の発明は、前記スリットは、前記風車の周方向に関し、互いに隣接する羽根の中間位置に配置されている、請求項１に記載の弾球遊技機である。
請求項３に記載の発明は、前記スリットは複数設けられており、前記複数の前記スリットは、放射状に延びている、請求項１または２に記載の弾球遊技機である。
請求項４に記載の発明は、前記複数の前記スリットは、前記風車の周方向に関し等間隔に配置されている、請求項３に記載の弾球遊技機である。
【０００８】
請求項５に記載の発明は、測定部を有する測定用治具を前記スリットに挿通させ、この状態で前記測定部を前記軸受部の外周面に沿わせることにより、前記風車の傾斜角度を測定可能にした、請求項１〜４のいずれか一項に記載の弾球遊技機である。
【図面の簡単な説明】
【０００９】
【図１】本発明の一実施形態に係る弾球遊技機に含まれる遊技盤の盤面の構成を示す正面図である。
【図２】図１に示す風車を拡大して示す正面図である。
【図３】前記風車を、図２の矢視IIIから見た側面図である。
【図４】角度ゲージを説明するための図である。
【図５】図１に示す遊技釘の傾斜角度を、前記角度ゲージを用いて測定する測定作業を示す断面図である。
【図６】前記風車の傾斜角度を、前記角度ゲージを用いて測定する測定作業を示す断面図である。
【発明を実施するための形態】
【００１０】
以下では、この発明の実施の形態を、添付図面を参照して詳細に説明する。
図１は、本発明の一実施形態に係る弾球遊技機（パチンコ機）１に含まれる遊技盤２の盤面２ａの構成を示す正面図である。弾球遊技機１は、遊技盤２と、遊技盤２を保持する遊技盤保持枠（図示しない）とを備えている。遊技盤保持枠の前面下部右方には、発射装置（図示しない）から発射される遊技球の勢いを調節するためのハンドル（図示しない）が配置されている。ハンドルは、遊技盤保持枠に回動可能に保持されている。遊技者が、ハンドルを把持して回動操作することにより、発射装置から遊技盤２に向けて遊技球を発射させることができ、また、ハンドルの回動角度を調整することにより、遊技盤２に向けて発射される遊技球の勢いを調節することができる。
【００１１】
遊技盤２の盤面２ａには、中央部に略円形の遊技領域Ｓが設定されている。遊技領域Ｓの周縁には、発射装置から発射された遊技球を、遊技領域Ｓの上部（左側上部）に導くための略円弧状のガイドレール３と、このガイドレール３に対向して延びる内レール４とが配設されている。内レール４の先端は遊技領域Ｓの上部まで延びていて、発射装置により発射された遊技球は、ガイドレール３と内レール４との間を通って遊技領域Ｓの上部へと導かれる。遊技領域Ｓには、多数本の遊技釘５が植設されている。
【００１２】
遊技盤２の中央部には、液晶表示ユニット６を含むセンターユニット７が配設されている。液晶表示ユニット６は、弾球遊技機１の遊技中に、変動中または変動停止状態にある演出図柄や所定のメッセージなどを表示するためのものである。
遊技領域Ｓにおける、センターユニット７の左方の領域、すなわち遊技領域Ｓの左領域には、第１の普通図柄ゲート８および風車９が上側からこの順に配置されている。第１の普通図柄ゲート８を遊技球が通過すると、第２の始動入賞口１５を開状態とするか否か（一対の可動羽根１６を拡開姿勢にするか否か）を決定するための普通図柄抽選が実行される。風車９は、前後方向に延びる回転軸線Ｃ（図２参照）まわりに回転自在に取り付けられており、風車９の周囲を流下する遊技球に当って、当該遊技球の流下状態に影響を与える。
【００１３】
また、遊技領域Ｓの左下部には、内レール４に沿って配置される円弧状のサイドランプユニット１０を構成している。サイドランプユニット１０は、左右方向に並ぶ第１の普通入賞口１１、第２の普通入賞口１２および第３の普通入賞口１３をユニット化した、３連普通入賞口を有するサイドランプユニットである。各普通入賞口１１〜１３に遊技球が１球入賞すると、予め定める個数（たとえば３球）の賞球が、賞球払出装置（図示しない）から払い出される。
【００１４】
遊技領域Ｓの下部には、第１の始動入賞口１４および第２の始動入賞口１５が上下に並置されている。第１および第２の始動入賞口１４，１５は、それぞれ、遊技盤２の盤面２ａに沿って流下する遊技球が入球可能に設けられている。第１の始動入賞口１４は、開閉手段等を有しない非作動式の入賞口であり、上方に向けて開口している。これに対し、第２の始動入賞口１５は、一対の可動羽根１６を含む開閉式の電動チューリップ役物１７によって開閉される可変式の入賞口であり、上方に向けて開口している。
【００１５】
電動チューリップ役物１７は、通常、各可動羽根１６の先端部が互いに接近する状態に窄められた姿勢（以下「狭窄姿勢」という。）に窄められている。一対の可動羽根１６が狭窄姿勢であると、遊技球の第２の始動入賞口１５への入球が、第１の始動入賞口１４の入球役物１８により阻止され、第２の始動入賞口１５が閉塞される。各可動羽根１６が狭窄姿勢から拡開して、図１に示すような、一対の可動羽根１６が互いに離間するように拡開された姿勢（以下「拡開姿勢」という。）になると、第１の始動入賞口１４の入球役物１８の左右両側に、第２の始動入賞口１５に向かう通路が形成され、この通路を通って第２の始動入賞口１５に遊技球が入球可能になる。したがって、一対の可動羽根１６が狭窄姿勢にあれば第２の始動入賞口１５への遊技球の入球はないが、一対の可動羽根１６が拡開姿勢にあると、比較的高い確率で遊技球が第２の始動入賞口１５に入球する。第１および第２の始動入賞口１４，１５ならびに電動チューリップ役物１７はユニット化されて、１つの始動入賞口ユニット１９を構成している。
【００１６】
第１または第２の始動入賞口１４，１５に遊技球が入ると、予め定める個数（第１の始動入賞口１４への遊技球入球に対してはたとえば５球、または第２の始動入賞口１５への遊技球入球に対してはたとえば３球）の賞球が、賞球払出装置（図示しない）から払い出される。また、第１または第２の始動入賞口１４，１５への遊技球の入球に伴って、特別利益状態を実行するか否かを決定するための大当り抽選が実行される。
【００１７】
遊技領域Ｓにおける、センターユニット７の右方の領域、すなわち遊技領域Ｓの右領域には、第２の普通図柄ゲート２０が配置されている。第２の普通図柄ゲート２０を遊技球が通過すると、第２の始動入賞口１５を開状態とするか否か（一対の可動羽根１６を拡開姿勢にするか否か）を決定するための普通図柄抽選が実行される。
遊技領域Ｓの右下部（より具体的には、左右方向に関し第２の普通図柄ゲート２０と始動入賞口１４，１５との略中間位置）には、左右に長い平面視長方形状をなす可変入賞口２１が配設されている。可変入賞口２１は、左右方向に関して、複数個（たとえば３〜４個）の遊技球が同時に入球可能なサイズに形成されている。
【００１８】
可変入賞口２１に関連して、可変入賞口２１を開閉可能な可変入賞役物２２が設けられている。可変入賞役物２２は、遊技盤２の盤面２ａに沿った状態で可変入賞口２１を閉塞して、可変入賞口２１に遊技球が入るのを阻止することができる一方、この状態から可変入賞口２１の下端縁に沿って配置された揺動軸（図示しない）を中心に手前側に傾倒することにより、可変入賞口２１を開放して、可変入賞口２１に流下してくる遊技球を可変入賞口２１内に導き入れることができる。可変入賞口２１に遊技球が入球すると、予め定める個数（たとえば、可変入賞口２１への遊技球１球入球に対して１０球）の賞球が、賞球払出装置から払い出される。可変入賞口２１は、遊技盤２の盤面２ａの右下端部に配置された右下ユニット２３に設けられている。
【００１９】
遊技盤２の盤面２ａにおけるガイドレール３の外側領域の左下部には、第１特別図柄表示手段２４、第２特別図柄表示手段２５および普通図柄表示手段２６が配置されている。
第１特別図柄表示手段２４は、第１の始動入賞口１４に遊技球が入球することを条件に、第１特別図柄を所定時間変動表示して、第１の始動入賞口１４への遊技球の入球時に取得された大当り判定乱数値が予め定められた大当り判定値と一致する場合には所定の大当り態様で、それ以外の場合には外れ態様で停止する。
【００２０】
第２特別図柄表示手段２５は、第２の始動入賞口１５に遊技球が入球することを条件に、第２特別図柄を所定時間変動表示して、第２の始動入賞口１５への遊技球の入球時に取得された大当り判定乱数値が予め定められた大当り判定値と一致する場合には所定の大当り態様で、それ以外の場合には外れ態様で停止する。
普通図柄表示手段２６は、第１または第２の普通図柄ゲート８，２０に遊技球が通過することを条件に普通図柄を所定時間変動表示して、第１または第２の普通図柄ゲート８，２０に対する遊技球の通過時に取得された当り判定乱数値が予め定められた当り判定値と一致する場合には所定の当り態様で、一致しない場合には所定の外れ態様で停止させるようになっている。
【００２１】
遊技者のハンドル（図示しない）の操作により、発射装置（図示しない）から適度の勢いで発射された遊技球は、遊技領域Ｓの左上部分から右斜め上方に向けて（ガイドレール３および内レール４に沿って）放たれる。遊技領域Ｓの左上部分から放たれた遊技球は、遊技領域Ｓの左部分（含：左領域、左下領域）に植設された遊技釘５の間を流下する。また、遊技球のうち幾つかの遊技球は、前後に延びる所定の回転軸まわりに回転自在に設けられている風車９に衝突し、当該風車９の回転により、その衝突した遊技球が風車９の左側または右側に振り分けられながら、遊技釘５の間を流下する。遊技領域Ｓの左部分（左領域および左下領域）を流下する遊技球は、第１の普通図柄ゲート８を通過可能であり、または、第１〜第３の普通入賞口１１，１２，１３、第１もしくは第２の始動入賞口１４，１５に入球可能である。
【００２２】
また、この弾球遊技機１では、いわゆる右打ち（遊技領域Ｓの右部分（含：右領域、
右下領域）に向けて遊技球を発射させる遊技）を行うことができるようになっている。具体的には、ハンドルの回転角度を極めて大きくすると、非常に強い勢いで遊技球が発射される。そして、遊技領域Ｓの左上部分から右斜め上方に向けて（ガイドレール３および内レール４に沿って）、遊技球が勢い良く放たれる。遊技領域Ｓの左上部分から放たれた遊技球は、遊技領域Ｓの上部で、ガイドレール３とセンターユニット７の周縁とによって区画される上通路２７を通って、遊技領域Ｓの右部分へと達し、その右部分において下方に向けて放たれ、遊技釘５の間を流下する。遊技領域Ｓの右部分（含：右領域、右下領域）を流下する遊技球は、第２の普通図柄ゲート２０を通過可能であり、または可変入賞口２１、第１もしくは第２の始動入賞口１４，１５に入球可能である。
【００２３】
遊技領域Ｓを流下する遊技球のうち、第１もしくは第２の始動入賞口１４，１５、可変入賞口２１、または第１〜第３の普通入賞口１１，１２，１３のいずれにも入球しなかった遊技球（アウト球）は、遊技領域Ｓの下部に形成されたアウト口２８から機内に入り、球回収部（図示しない）に回収される。
図２は、風車９を拡大して示す正面図である。図３は、風車９を、図２の矢視IIIから見た側面図である。
【００２４】
風車９は、遊技領域Ｓに立設されている軸３１に回転自在に支持される外郭円筒状の軸受部３２と、軸受部３２と一体回転可能に設けられ、軸受部３２の周囲において放射状に延びる複数枚（図２では、たとえば３枚）の羽根３３と、軸受部３２に一体回転可能に設けられ、風車９の前面を構成する前面板３４とを含む。
軸受部３２は、筒状をなし、前面板３４に対して垂直に設けられている。軸受部３２の内部を、軸３１が挿通する。軸受部３２は、図２に示すような円筒状をなしている。軸受部３２は、円筒状の外周面３２ａを有している。外周面３２ａの径は、軸受部３２の軸方向の全域で等しい。
【００２５】
軸３１は、たとえば、遊技領域Ｓに植設された、いわゆる風車釘である。図３に示すように、軸３１の頭部３１ａ（風車釘の頭部）が風車９に干渉することにより、風車９の抜け止めが図られている。
複数枚の羽根３３は、風車９の周方向に関し、互いに等間隔に（たとえば１２０°間隔）配置されている。各羽根３３は、略矩形板状をなしている。羽根３３の外端縁３３ａは、軸受部３２の後端に向かうに従って縮径するように傾斜している。羽根３３の外端縁３３ａの前端は、前面板３４の外周端３４ａよりもやや内方に位置している。また、羽根３３の後端縁３３ｂは、内周に向かうに従って後方に向かうように傾斜している。羽根３３の後端縁３３ｂの内端は、軸受部３２の後端よりもやや前方側に位置している。
【００２６】
前面板３４は、軸受部３２と同軸の円形状をなしており、軸受部３２および複数枚の羽根３３を前方から覆っている。前面板３４の前面に、たとえば装飾が施されていてもよい。前面板３４には、放射状に延びる複数のスリット３５が形成されている。スリット３５は、羽根３３の枚数と同数設けられている。複数のスリット３５は、風車９の周方向に関し、それぞれ、互いに隣接する羽根３３同士の中間位置に配置されている。すなわち、スリット３５と羽根３３とが１対１対応で設けられ、かつ、複数のスリット３５が風車９の周方向に関し互いに等間隔に配置されている。
【００２７】
各スリット３５は、前面板３４の外周端３４ａから、風車９の径方向の内方に向けて切り込まれて形成されている。各スリット３５の内周端は、正面視で、軸受部３２の外周面３２ａと同位置にまで達している。各スリット３５は、その長手方向の全域に亘って一定の周方向幅Ｗを有している。各スリット３５の周方向幅Ｗは、次に述べる角度ゲージ（釘角度測定用治具）４１のゲージ本体部４２（図４等参照）の厚み（約１ｍｍ）よりも、多少大きい寸法に設定されている。すなわち、各スリット３５は、角度ゲージ４１を挿通可能な周方向幅Ｗを有している。
【００２８】
軸受部３２と複数枚の羽根３３と前面板３４とは、たとえば合成樹脂材料を用いて一体に形成されている。この場合、風車９は、透明材料を用いて形成されていてもよいし、不透明材料を用いて形成されてもよい。
図４は、釘角度測定用治具としての角度ゲージ４１を説明するための図である。図５は、遊技釘５の傾斜角度を、角度ゲージ４１を用いて測定する測定作業を示す断面図である。
【００２９】
角度ゲージ４１は、遊技釘５の傾斜角度（遊技盤２の盤面２ａ（いわゆるセル盤の盤面）に対する遊技釘５の上向き傾斜角（仰角））を測定するためのゲージである。このような角度ゲージ４１として、実用新案登録第３０８８５５０号公報に記載の角度ゲージを例示できる。
図４に示すように、角度ゲージ４１は、通例、複数枚（たとえば１０枚）の角度ゲージが軸支された状態で１セットとして取り扱われている。図４では、０°、１°、２°および３°のそれぞれに対応する、合計４つの角度ゲージ４１のみを図示し、４°、５°、６°、７°、８°および９°の５つの角度ゲージの図示を省略している。これら１セットの含まれる複数の角度ゲージ４１から、１つの角度ゲージ４１を引き出して、遊技釘５の角度測定に用いる。各角度ゲージ４１は、ゲージ本体部４２と、ゲージ本体部４２から延び、作業者が把持するための把持部４３とを含む。ゲージ本体部４２は、約１ｍｍの厚みを有する板状をなし、合成樹脂材料または金属材料を用いて形成されている。
【００３０】
ゲージ本体部４２は、略矩形をなしている。ゲージ本体部４２の先端部には、長手方向に沿って突出する一対の突部４３ａ，４３ｂが形成されている。各突部４３ａ，４３ｂの先端は、接面基準端４４ａ，４４ｂである。ゲージ本体部４２は、互いに対向する一対の測定用辺（測定部）４５を有している。各測定用辺４５は、一対の接面基準端４４ａ，４４ｂを結ぶ直線４６に対し、傾斜しない（すなわち、０°）または所定角度（たとえば１°〜９°）だけ傾斜している。同じセットに含まれる複数の角度ゲージ４１は、それぞれ、直線４６に対する測定用辺４５の傾斜角度（仰角。０°を含む）が異なっている。なお、この実施形態では、測定用辺４５を、ゲージ本体部４２の互いに対向する一対の辺の双方に設けるとして説明したが、一対の辺の一方のみに、測定用辺４５が設けられていてもよい。
【００３１】
各測定用辺４５の後端部には、遊技釘５の頭部５ａ（図５等参照）を入り込ませるための凹み４７が形成されている。ゲージ本体部４２の中央部には、直線４６に対する測定用辺４５の傾斜角度（当該角度ゲージ４１に対応する傾斜角度）を表示する角度表示４８が付されている。
なお、複数枚（たとえば１０枚）が軸支されて、この状態で１セットとして取り扱われる角度ゲージ４１を例に挙げて説明したが、個々の角度ゲージ４１が個別に取り扱い可能に設けられていてもよい。
【００３２】
遊技釘５の傾斜角度を測定する作業者は、図５に示すように、角度ゲージ４１の把持部４３を把持して、角度ゲージ４１のゲージ本体部４２を、突部４３ａ，４３ｂの接面基準端４４ａ，４４ｂがそれぞれ遊技盤２の盤面２ａに接するように、当該盤面２ａに宛がう。そして、測定用辺４５を遊技釘５の本体部５ｂに沿わし、当該測定用辺４５が遊技釘５の本体部５ｂに沿うか否かを判断する。測定用辺４５が遊技釘５の本体部５ｂに沿う場合には、当該角度ゲージ４１に対応する傾斜角度（図５の場合、３°）が、当該遊技釘５の傾斜角度になる。なお、測定の際には、遊技釘５の頭部５ａが、ゲージ本体部４２の凹み４７に収容されるので、角度ゲージ４１と遊技釘５の頭部５ａとの干渉はない。
【００３３】
当該遊技釘５の傾斜角度を正確に調べたい場合には、作業者は、同じセットに含まれる複数の角度ゲージ４１を用いて順次に、当該角度ゲージ４１の測定用辺４５が遊技釘５の本体部５ｂに沿うか否かを測定する。そして、遊技釘５の本体部５ｂに測定用辺４５が沿う状態となる角度ゲージ４１に対応する傾斜角度を、測定対象の遊技釘５の傾斜角度とする。
【００３４】
また、遊技釘５の傾斜角度を所望の傾斜角度に調整したい場合には、遊技者は、当該所望の傾斜角度に対応する角度ゲージ４１を盤面２ａに宛がい、その状態で、遊技釘５の頭部５ａをハンマー等で打撃して、測定用辺４５が遊技釘５の本体部５ｂに沿う状態になるように、遊技釘５の傾斜状態を調整する。
この実施形態に係る風車９は、その傾斜角度を、角度ゲージ４１を用いて測定することが可能なように設けられている。
【００３５】
図６は、風車９の傾斜角度を、角度ゲージ４１を用いて測定する測定作業を示す断面図である。
角度ゲージ４１を用いて風車９の傾斜角度を測定する場合、作業者は、角度ゲージ４１の把持部４３を把持して、角度ゲージ４１のゲージ本体部４２を、前面板３４の外周端３４ａからスリット３５に射し込む。そして、角度ゲージ４１のゲージ本体部４２を、突部４３ａ，４３ｂの接面基準端４４ａ，４４ｂがそれぞれ遊技盤２の盤面２ａに接するように、当該盤面２ａに宛がう。
【００３６】
そして、測定用辺４５を軸受部３２の外周面３２ａに沿わし、当該測定用辺４５が軸受部３２の外周面３２ａに沿うか否かを判断する。測定用辺４５が軸受部３２の外周面３２ａに沿う場合には、当該角度ゲージ４１に対応する傾斜角度が、当該風車９の傾斜角度になる。
当該風車９の傾斜角度を正確に調べたい場合には、作業者は、同じセットに含まれる複数の角度ゲージ４１を用いて順次に、当該角度ゲージ４１の測定用辺４５が軸受部３２の外周面３２ａに沿うか否かを測定する。そして、軸受部３２の外周面３２ａに測定用辺４５が沿う状態となる角度ゲージ４１に対応する傾斜角度を、測定対象の風車９の傾斜角度とする。
【００３７】
また、作業者が、風車９の傾斜角度を所望の傾斜角度に調整したい場合には、遊技者は、当該所望の傾斜角度に対応する角度ゲージ４１を、スリット３５を介して盤面２ａに宛がい、その状態で、軸３１の頭部３１ａをハンマー等で打撃して、測定用辺４５が軸受部３２の外周面３２ａに沿う状態になるように、風車９の傾斜状態を調整する。
以上により、この実施形態によれば、角度ゲージ４１のゲージ本体部４２を、前面板３４の外周端３４ａからスリット３５に挿し込み、この挿し込み状態における、ゲージ本体部４２の測定用辺４５と軸受部３２の外周面３２ａとに基づいて、風車９の傾斜角度を測定することができる。つまり、特殊治具ではない角度ゲージ４１を用いて、風車９の傾斜角度を測定することができる。これにより、風車９のメンテナンス性の向上を図ることができる。
【００３８】
また、複数枚の羽根３３と前面板３４とが一体に設けられているために、複数枚の羽根３３は、前面板３４の補強用のリブとしての機能を有している。スリット３５を、風車９の周方向に関し、互いに隣接する羽根３３の中間位置に設けるので、前面板３４の強度を大きく低下させることなく、前面板３４にスリット３５を形成することができる。
また、スリット３５が羽根３３と同数設けられて、スリット３５と羽根３３とが１対１対応で設けられているので、外観性が良好である。また、各スリット３５と各羽根３３との対応位置が定められているので、遊技者は、風車９におけるスリット３５の位置（風車９の周方向に関するスリット３５の位置）を手掛かりとして、正面側から羽根３３の位置を認識できる。
【００３９】
また、スリット３５が複数設けられているので、いずれか１つのスリット３５にゲージ本体部４２を選択的に挿し込むことが可能である。そのため、風車９の角度測定に先立って風車９を適当な姿勢に回転させる必要がない。これにより、風車９のメンテナンス性を、より一層向上させることができる。
また、風車９の角度測定用の治具として、遊技釘５の角度測定の際に用いる釘角度測定用治具である、角度ゲージ４１を用いる。すなわち、１つの治具を用いて、遊技釘５の傾斜角度の測定と、風車９の傾斜角度の測定との双方を行うことができる。これにより、風車９のメンテナンス性を、さらにより一層向上させることができる。
【００４０】
以上、この発明の一実施形態について説明したが、この発明は、さらに他の形態で実施することもできる。
たとえば、スリット３５が、風車９の周方向に関し、隣接する羽根３３の中間位置に配置されているとして説明したが、スリット３５が、風車９の周方向に関し、隣接する羽根３３のいずれかの側に寄った状態に配置されてもよい。
【００４１】
また、軸受部３２が円筒状をなしているとして説明したが、軸受部３２が角筒状をなしていてもよい。この場合、軸受部３２の外周面３２ａが、角筒面（複数の平坦面から構成される）から構成される。また、軸受部３２は、外郭形状が、筒状（外郭筒状）であれば足りる。
また、スリット３５が、羽根３３と同数設けられているとして説明したが、スリット３５の本数は、羽根と同数でなくてもよい。また、スリット３５の本数は複数であることが望ましいが、最低１本あれば足りる。
【００４２】
また、スリット３５が、風車９の周方向に関し、等間隔に配置されている構成を例に挙げたが、風車９の周方向に関し、不等間隔で配置されていてもよい。
また、風車９に関し、軸受部３２と羽根３３と前面板３４とが一体に形成されているとして説明したが、これらが、複数の部材に分けて構成されていてもよい。この場合、たとえば、軸受部３２と羽根３３とが一体の部材で設けられ、前面板３４だけが別部材で設けられており、両者が接着剤等を用いて接合されていてもよい。また、軸受部３２と、羽根３３と、前面板３４とが、それぞれ別部材で設けられており、これら３つの部材が接着剤等を用いて接合されていてもよい。
【００４３】
また、風車９が、合成樹脂材料を用いて形成されているとして説明したが、金属材料を用いて形成されていてもよい。
また、風車９の傾斜角度の測定の際に、角度ゲージ４１の測定用辺４５を軸受部３２の外周面３２ａに沿わせる手法を例に挙げて説明したが、測定用辺以外の測定用部を外周面３２ａに沿わせることにより、風車９の傾斜角度を計測するものであってもよい。
【００４４】
また、角度ゲージ４１として実用新案登録第３０８８５５０号公報に記載の角度ゲージを例に挙げて説明したが、他のタイプの釘角度測定用治具を用いて風車９の傾斜角度を調整してもよい。また、角度ゲージ４１は、遊技釘５の角度測定用の治具に限られない。
また、遊技盤２の盤面における役物装置や、役物、入賞口の配置レイアウトは一例に過ぎず、遊技の内容や盤面デザイン等に応じて適宜変更可能である。
その他、特許請求の範囲に記載された事項の範囲で種々の変更を施すことが可能である。
【符号の説明】
【００４５】
１      ：弾球遊技機
２      ：遊技盤
２ａ    ：盤面
５      ：遊技釘
９      ：風車
３１    ：軸
３２    ：軸受部
３２ａ  ：外周面
３３    ：羽根
３４    ：前面板
３４ａ  ：外周端
３５    ：スリット
４１    ：角度ゲージ（釘角度測定用治具）
４５    ：測定用辺（測定部）
４６    ：直線
４７    ：凹み
４８    ：角度表示
Ｓ      ：遊技領域
【図１】
2017000670.tif 000003
【図２】
2017000670.tif 000004
【図３】
2017000670.tif 000005
【図４】
2017000670.tif 000006
【図５】
2017000670.tif 000007
【図６】
2017000670.tif 000008